(57)【要約】【課題】浴室の洗い場に設けられる排水口において大便等の固形の汚物を処理することができ、さらに浴室の洗い場を多目的の用途に用いることができる浴室汚物処理設備を提供する。【解決手段】浴室７の洗い場３に凹設されるシンク８と、このシンク８の底部に設けられる第１の排水口１０と、第１の排水口１０に連結され排水を貯留可能な屈曲管部１６ａを備えて屈曲管部１６ａ内の気相を遮断する排水トラップ１４ａとを有し、シンク８は、洗い場３の床面と略同一平面を形成してシンク８を覆う外蓋４を備え、排水トラップ１４ａには浴槽２の浴室排水管１９が接続され、第１の排水口１０又は排水トラップ１４ａは浴槽２の浴室排水管１９からの排水のシンク８への逆流を防止する逆流防止機構を備え、外蓋４はその一部に凹部を備えてシンク８に排水する第２の排水口９を備えることを特徴とする浴室汚物処理設備１ａによる。【選択図】  図２
2007016580.tif 000002
【特許請求の範囲】
【請求項１】
浴室の洗い場に凹設されるシンクと、前記シンクの底部に設けられる排水口と、前記排水口に連結され排水を貯留可能な曲管部を備えて前記曲管部内の気相を遮断する排水トラップとを有することを特徴とする浴室汚物処理設備。
【請求項２】
前記洗い場の床面と略同一平面を形成して前記シンクを覆うカバーを備え、このカバーはその一部に凹部を備えて前記シンクに排水する第２の排水口を備えることを特徴とする請求項１記載の浴室汚物処理設備。
【請求項３】
前記排水トラップには浴槽の排水管が接続されることを特徴とする請求項１又は請求項２に記載の浴室汚物処理設備。  
【請求項４】
前記排水口は、前記浴槽の排水管からの排水の前記シンクへの逆流を防止する逆流防止機構を備えることを特徴とする請求項３記載の浴室汚物処理設備。
【請求項５】
前記シンクはその底面に、前記排水トラップの内部へ貫通して清掃可能とするための掃除孔を備えることを特徴とする請求項１乃至請求項４のいずれか１項に記載の浴室汚物処理設備。
【発明の詳細な説明】
【技術分野】
【０００１】
本発明は、浴室において大便等の汚物を洗い場の排水口から水／湯とともに処理することができ、さらに、大便等の汚物で汚れた衣類やおしめ、シーツ等を洗浄できるシンクを備える浴室汚物処理設備に関する。
【背景技術】
【０００２】
従来、健常者が被介護者を自宅で介護する場合や乳幼児の子育て中において、被介護者や乳幼児が大便等の汚物で衣類やおしめ、シーツ等を汚してしまった際には、他の洗濯物に汚物が付着するのを防止するため、浴室内において汚物で汚れた衣類やおしめ、シーツ等を下洗いすることが多かった。この場合、介護者は浴室内の配水管が汚物で目詰まりしないように、衣類やおしめ、シーツ等を下洗いした際の水／湯をトイレまで持ち運ばねばならず煩雑であった。
また、被介護者や乳幼児は入浴すると新陳代謝が促進されて、浴室にいながら便意をもよおす場合があり、体が不自由である等の理由によりトイレへの移動が間に合わずに浴室内で排便してしまうこともあった。このような場合も介護者は、汚物で浴室の配水管が目詰まりしないように浴室内の汚物を回収してトイレまで運ぶ必要があり、やはり煩雑であった。
【０００３】
このような課題に対処するため、いくつかの発明が開示されている。
たとえば、特許文献１には「室内床の排水構造」という名称で、排水口の内部に汚物を溜めないようにできる室内床の排水構造に関する発明が開示されている。
【０００４】
特許文献１に開示される発明は、室内床に排水管へ接続する排水口が設けられ、この排水口に給水具の給水管が接続され、排水口の内部に直接給水して排水口内の汚物を排水管に流すことができるものであり、言い換えると、トイレの便器に係る構成がそのまま室内床の排水構造に採用されたものである。
上述のような特許文献１に係る「室内床の排水構造」は浴室の排水構造にも採用することができるので、浴室内の排水口から大便等の汚物を流すことが可能である。また、介護者は汚物で汚れた衣類等を下洗いした水／湯をトイレまで運ぶ必要がなく便利という効果があった。
【０００５】
また、特許文献２には「簡易移動により、血圧の変化を少なく出来る浴槽付便器水槽」という名称で、排水口に便器を備えた浴槽に関する発明が開示されている。
特許文献２に係る発明は、例えば、寝たきりの被介護者を入浴させる際に、万一被介護者が浴槽内で排便してしまった場合でも、水／湯とともに汚物を浴槽内の排水口から処理できるものである。また、当該発明に係る便器には便器の点検口が設けられているため、万一、排水管に目詰まりが生じた場合でもこの便器の点検口から排水管内を掃除することができる。このため、介護者は浴槽内の汚物を回収してトイレまで運ぶ必要がなく便利であった。また、排水管が汚物で目詰まりした場合でも迅速に対処することができて安心という効果があった。
【０００６】
【特許文献１】特開平９−２４２１４６号公報
【特許文献２】特開２０００−２１０３２６号公報
【発明の開示】
【発明が解決しようとする課題】
【０００７】
しかしながら、上述の特許文献１に開示されるような従来の「室内床の排水構造」においては、大便等の汚物を浴室の排水口から流すことができるものの、床下の排水口の内部に直接給水可能に給水管を配管する必要があり、結局小型のトイレを増設するというもので、コストがかかると同時に床下におけるこのような給水管の配管作業は煩雑であるという課題があった。また、給水管に不具合を生じた場合、修理のために床面一部を取り外す場合もあり作業が特に煩雑でもあった。
また、汚物で汚れた衣類やおしめ、シーツ等を下洗いする場合には専用の容器を常時準備しておくか、設置の床面をそのまま使用する必要があり、汚物で汚れた衣類やおしめ、シーツ等の下洗いをする際にこのような排水構造では、汚れる可能性のある範囲を広げることになってしまう可能性があった。その結果、通常生活のスペースと介護等のためのスペースが分離できず、住宅内の衛生環境を必ずしも維持できないという課題があった。
【０００８】
また、上述の特許文献２に開示されるような従来の「簡易移動により、血圧の変化を少なく出来る浴槽付便器水槽」では、浴槽を使用している最中に便器を使用することができず不便であるという課題があった。
また、当該発明に係る浴槽を汚物で汚れた衣類やおしめ、シーツを下洗いするための容器として使用できるものの、このような目的で使用された浴槽に直接入浴することは衛生上の問題もあり心理的な抵抗もあった。
【０００９】
本発明はかかる従来の事情に対処してなされたものであり、その目的は浴室内の洗い場に汚物で汚れた衣類やおしめ、シーツ等を下洗いすることができ、あるいは、湯桶としても使用できるシンクを備え、このシンクの底部に設けられる排水口から大便等の汚物を処理することができる浴室汚物処理設備を提供することにある。
【課題を解決するための手段】
【００１０】
上記目的を達成するため、請求項１記載の発明である浴室汚物処理設備は、浴室の洗い場に凹設されるシンクと、このシンクの底部に設けられる排水口と、排水口に連結され排水を貯留可能な曲管部を備えて曲管部内の気相を遮断する排水トラップとを有するものである。
上記構成の浴室汚物処理設備においてシンクは、水／湯を貯留するという作用を有すると同時に、洗い場に凹設することで洗い場とは一線を画し、通常の入浴スペースから介護用のスペースを分離するという作用を有する。またシンクの底部に設けられる排水口は、大便等の汚物や、シンク内の水／湯、洗い場でかけ流された水／湯を排出するという作用を有する。さらに排水トラップは、排水口から排出された汚物や排水を一旦収容し、その後排水管に排出するという作用を有する。また排水トラップの曲管部は、排水を貯留して排水管からの気相を遮断して下流側からの臭気の立ち上りを防止するという作用を有する。
【００１１】
また、請求項２に記載の発明である浴室汚物処理設備は、請求項１に記載の浴室汚物処理設備において、洗い場の床面と略同一平面を形成してシンクを覆うカバーを備え、このカバーはその一部に凹部を備えてシンクに排水する第２の排水口を備えるものである。
上記構成の浴室汚物処理設備において、カバーはシンクを被覆して、シンクを使用しない場合に洗い場の床面を略水平にするという作用を有する。そのことで、介護時等以外で通常に浴室を使用する場合には洗い場の床面を広く使用しながら、より明確に通常の入浴スペースから介護用のスペースを分離するという作用を有する。また、このカバーに設けられる第２の排水口は洗い場にかけ流された水／湯を排出口側へ排出するという作用を有する。
【００１２】
そして、請求項３に記載の発明である浴室汚物処理設備は、請求項１又は請求項２に記載の浴室汚物処理設備において、排水トラップには浴槽の排水管が接続されるものである。
上記構成の浴室汚物処理設備において浴槽の排水管は、浴槽から排出される排水を排水トラップに導入するという作用を有する。
【００１３】
さらに、請求項４に記載の発明である浴室汚物処理設備は、請求項３に記載の浴室汚物処理設備において、排水口は、浴槽の排水管からの排水のシンクへの逆流を防止する逆流防止機構を備えるものである。
上記構成の浴室汚物処理設備において逆流防止機構は、浴槽から排出される排水が排水トラップからシンクへと逆流することを防止するという作用を有する。
【００１４】
請求項５に記載の発明である浴室汚物処理設備は、請求項１乃至請求項４のいずれか１項に記載の浴室汚物処理設備であって、シンクはその底面に、排水トラップの内部へ貫通して清掃可能とするための掃除孔を備えるものである。
上記構成の浴室汚物処理設備においてシンクの底面に設けられる掃除孔は、排水トラップ内部に掃除具の挿入を可能にするという作用を有する。
【発明の効果】
【００１５】
本発明の請求項１記載の浴室汚物処理設備では、シンクに湯又は水を貯留する
ことができるので、シンク内で被介護者や乳幼児が大便等の汚物で汚した衣類やおしめ、シーツ等を下洗いすることができる。また、このシンクは、主として西洋のトイレに併設される給水設備と排水口を備える水鉢（以下、この水鉢ビデと呼ぶ。）のような、例えば、女性が生理中等に局部を清潔に保つための洗浄器として、あるいは、足湯用の湯桶としても用いることができる。また、排水口は洗い場にかけ流され水／湯を排出できるだけでなく、大便等の汚物も排水とともに処理することができる。
さらに、排水トラップを備えることで、排水管内の臭気や害虫が浴室に上がってくるのを防止できる。
通常の入浴スペースと介護等のスペースを分離することができるため、より衛生的に浴室を利用でき、健常者と被介護者の双方の精神的な負担を軽減することで同居をより快適にすることができる。
【００１６】
本発明の請求項２記載の浴室汚物処理設備では、請求項１の発明の効果に加えて、シンクを覆うカバーにより洗い場の床面が略水平になるので、使用者がシンク部分に足を踏み入れた場合でも、シンクと洗い場にできる段差で足を滑らせて転倒することがなく安全である。また、シンクを被覆するカバーに第２の排水口が設けられているので、カバーをシンクに装着したままでも洗い場にかけ流された水／湯を排出することができる。このため、本発明の請求項２に記載されるような浴室汚物処理設備を備える浴室を、このような浴室汚物処理設備を備えない浴室と同じように使用することができるので被介護者にも健常者にも使いやすい浴槽にすることができる。
【００１７】
本発明の請求項３記載の浴室汚物処理設備では、請求項１又は請求項２に記載の発明の効果に加え、排水トラップ内に排出された大便等の汚物を浴槽からの排水の吐出力を利用してより確実に押し流すことができる。このため、排水トラップに汚物を押し流すための水流を発生させる給水設備を別に設ける必要がなく本発明に係る汚物処理設備の構造を簡易なものにすることができ、メンテナンスも容易であり、コストも低減できる。また、浴槽の排水を有効利用することができる。
【００１８】
本発明の請求項４記載の浴室汚物処理設備では、請求項３に記載の発明の効果に加え、逆流防止機構を備えることで浴槽からの排水の吐出力が大きくとも、排水がシンク側に逆流するのを防止することができる。このため浴室の洗い場や、洗い場に凹設されるシンクが逆流した汚物や排水で汚れる心配がなく衛生的である。
【００１９】
本発明の請求項５記載の浴室汚物処理設備では、請求項１乃至請求項４に記載の発明の効果に加え、万一、排水トラップが目詰まりを起こした場合に、使用者はシンクの底面に設けられる掃除孔から掃除具を挿入して排水トラップ内を掃除することができる。
このため、常時衛生的な状態を維持でき、排水トラップに目詰まりが生じる度に専門の業者に修理を委託する必要がなく、本発明に係る浴室汚物処理設備のメンテナンスにかかるコストを低減できるので経済的である。
【発明を実施するための最良の形態】
【００２０】
［１］以下に、本発明の第１の実施の形態に係る浴室汚物処理設備を図１乃至図６に基づき説明する。（特に請求項１乃至請求項４に対応）
図１は、本発明の第１の実施の形態に係る浴室汚物処理設備の平面図であり、図２は図１中の符号Ａ−Ａ線断面図である。また、図３は本発明の第１の実施の形態に係る浴室汚物処理設備において蓋と栓を取外した状態の平面図である。
本発明の第１の実施の形態に係る浴室汚物処理設備１ａは、浴室７内における洗い場３に設けられる排水設備において、大便等の固形の汚物も排水とともに流すことができるよう構成された浴室汚物処理設備１ａである。
図１〜３に示すように、本実施の形態に係る浴室汚物処理設備１ａは主に、底部に第１の排水口１０を備えて浴室７の洗い場３に凹設されるシンク８と、この第１の排水口１０に連設される排水トラップ１４ａからなり、この排水トラップ１４ａの上流部に浴槽排水管１９が接続されるものである。
また、第１の排水口１０の下端には、排水の逆流防止機構として、例えば、逆止弁１８ａ，１８ｂが設けられており、浴槽排水管１９からの排水が第１の排水口１０を通じてシンク８へと流れ込むのを防止している。
この逆止弁１８ａ，１８ｂは、例えば、枢軸１８ａ1，１８ｂ1を基軸に一定の荷重がかかると下方に回動し、その後荷重から開放されると、もとに位置に復元するよう構成されるものである。また、浴槽排水管１９から送給される排水により排水トラップ１４ａ内の水位が上昇するとその水圧で逆止弁１８ａ，１８ｂが下方から押圧されて第１の排水口１０を塞いで排水が第１の排水口１０に流入するのを妨げる仕組みになっている。
なお、逆止弁１８ａ，１８ｂの取付け方法は必ずしも枢軸１８ａ1，１８ｂ1による必要はなく、反発性を有する弾性素材を介して第１の排水口１０の下端又は排水トラップ１４ａの内壁又は排水トラップ１４ａの上端部に取り付けられてよい。いずれの場合においても、第１の排水口１０内に一定量の排水が貯まるとその荷重で逆止弁１８ａ，１８ｂが枢軸１８ａ1，１８ｂ1を基軸に下方に回動して第１の排水口１０内の排水を排水トラップ１４ａ内に排出し、その後は速やかに元の位置に復元するよう構成されることが望ましい。
また、本実施の形態においては排水の逆流防止機構として、逆止弁１８ａ，１８ｂを採用した場合を例に挙げて説明しているが、この逆止弁は図２に示すような逆止弁１８ａ，１８ｂが一体に構成され、枢軸１８ａ1，１８ｂ1のいずれか一方を基軸に回動するよう構成されるものでもよい。また、これ以外にも第１の排水口１０からの排水をスムースに排水トラップ１４ａに導く一方で、排水トラップ１４ａから第１の排水口１０に排水が逆流するのを妨げるよう構成される逆流防止機構であればその構造は問題としない。なお、本願明細書中に記載される他の逆流防止機構においても同様である。
本実施の形態に係る浴室汚物処理設備１ａは、上述のような排水の逆流防止機構を備えているので、図示しない固形の汚物を排水トラップ１４ａへと導出した後に、浴槽排水口６を閉止する栓１２を開放し、浴槽２内の水／湯２１を排水トラップ１４ａに送給することで排水トラップ１４ａ内の汚物を確実に排水管２０へと押し流すことができ、しかも第１の排水口１０に汚物と排水が逆流する恐れがないのである。
なお、本実施の形態に係るシンク８形状は、たとえば、略方形に構成した場合を例に挙げて図示しているが、必ずしもこの形状である必要はなく、これ以外にも、たとえば、略台形であったり、略楕円形や略円形であってもよい、あるいは、たとえばひょうたん形のような任意の曲線により構成される形状でもよく、洗い場３のインテリアや使用者の利便性を考慮して自由に変形されて良い。また、いずれの場合でも第１の排水口１０に向うにつれシンク８の水平断面における面積が縮小するよう構成することで、第１の排水口１０からの排水を良好にすることができる。
【００２１】
また、本実施の形態に係る排水トラップ１４ａは、浴室排水管１９との接続部分に排水トラップ１４ａ内の排水と汚物が浴槽２に逆流するのを防止する逆流機構を備えている。なお、先に説明した第１の排水口１０に設けられる逆流防止機構を第１の逆流防止機構とし、浴室排水管１９と排水トラップ１４ａの接続部分に設けられる逆流防止機構は第２の逆流防止機構と呼ぶことにする。
本実施の形態に係る第２の逆流防止機構は、浴室排水管１９と排水トラップ１４ａの接続部分において排水トラップ１４ａ側に凸設される舌部３０と、この基部に枢軸３１ａにより軸支される逆止弁３１により構成されるものである。
この第２の逆流防止機構は、浴槽２から水／湯２１が浴室排水管１９を通じて送給されると逆止弁３１が枢軸３１ａを基軸に排水トラップ１４ａの内側に、すなわち、図２中の符号Ｃで示す方向に回動して水／湯２１の排水トラップ１４ａへの流入を可能にするものである。その一方で、たとえば、第１の排水口１０から多量の水／湯が送給された場合、逆止弁３１は枢軸３１ａを基軸に排水トラップ１４ａの内側から浴室排水管１９側に、すなわち、図２中の符号Ｃで示す方向とは逆向きに回動するのであるが、この時、逆止弁３１の枢軸３１ａに軸支されない側の端部は浴室排水管１９と排水トラップ１４ａの接続部分における下端部に当接して浴室排水管１９を塞ぐので浴槽２に排水と汚物が逆流するのが妨げられる仕組みになっている。
また、本実施の形態に係る舌部３０は、回動する逆止弁３１に当接して回動を抑止すると同時に、浴槽２から送給される水／湯２１が曲管部１６ａにスムースに流れ込むように水／湯２１の流れを調整する作用を有する。
なお、本実施の形態においては、逆止弁３１を舌部３０の基部近傍に軸支したが、浴室排水管１９と排水トラップ１４ａの接続部分における下端部に軸支してもよい。あるいは、逆止弁３１に代えて、上述の逆止弁１８ａ，１８ｂのような観音開きの逆止弁を用いてもよい。
【００２２】
さらに、排水トラップ１４ａは、排水トラップ本体１５ａの下流部に曲管部１６ａを備えており、この曲管部１６ａ内に排水１７を貯留することで、排水管２０からの気相を遮断して第１の排水口１０から臭気や害虫が浴室７内に上がるのを防止している。本実施の形態に係る排水トラップ１４ａとしては、たとえば、Ｓ字型の配管を用いたＳトラップやＰ字型の配管を用いたＰトラップを使用することができる。
【００２３】
また、本実施の形態に係る浴室汚物処理設備１ａにおけるシンク８の開口８ａには、目皿１１と内蓋５とを備える外蓋４が着脱可能に覆設されており、洗い場３の床面が略水平となるよう構成されている。
このようにシンク８に外蓋４を覆設することで、健常者が通常の入浴に浴室を利用する際に、シンク８のスペースも洗い場３として使用可能であるのでスペースを広く活用することができると同時に、介護用のシンク８を覆うことで介護用のスペースと通常の入浴用のスペースを明確に分離することができる。また、使用者がシンク８部分に足を踏み入れた場合でも、シンク８と洗い場３との間には段差がないので足を滑らせて転倒する恐れがなく安心である。
また、図１に矢印とともに取外して示すように、本実施の形態に係る外蓋４は、外縁に凸部４ｂ，４ｂを備え、この凸部４ｂ，４ｂに符合するシンク８の開口８ａには凹部８ｂ，８ｂが設けられており、外蓋４の凸部４ｂ，４ｂがシンク８の凹部８ｂ，８ｂに嵌合して外蓋４の外れを防止するよう構成されている。
このような外蓋４をシンク８に覆設するには、まず、外蓋４を傾斜させて凸部４ｂ，４ｂをシンク８の凹部８ｂ，８ｂに差し込み、その後外蓋４を静かに開開口８ａに落とし込めばよい。外蓋４をシンク８の開口８ａに係止させることで、外蓋４上に人が乗った際に不意に外蓋４が外れてしまう心配がなく、浴室内における使用者の転倒を防止するという効果を有する。
なお、本実施の形態においては外蓋４の２箇所に凸部４ｂを設けた場合を例に挙げて説明しているが、凸部４ｂは外蓋４の少なくとも１箇所に設けられていればよく、もちろん、２箇所以上に設けてもよい。さらに、外蓋４の短辺側ではなく、長辺側に凸部を設けてもよい。
なお、外蓋４は、上に人が乗っても撓まない程度の丈夫な素材で構成するか或いは外蓋４の裏面に補強部材を備えることが望ましい。
【００２４】
さらに、シンク８に覆設される外蓋４は、第１の排水口１０と符合する位置に第２の排水口９が穿設されており、この第２の排水口９部分には、髪の毛などのゴミを捕捉できる目皿１１が着脱可能に係着されている。さらに、外蓋４の上面と目皿１１との段差を解消するため、外蓋４の第２の排水口９に複数の排水孔５ｂを備える内蓋５を覆設している。
なお、内蓋５及び目皿１１に設けられる排水孔５ｂ，排水孔１１ａは必ずしも略円形状の孔である必要はなく、例えば、複数のスリットを有するものであったり、メッシュ状でもよい。この場合、内蓋５の孔又はスリットの直径又は幅が、目皿１１の孔又はスリットの直径又は幅よりも大きいことが望ましい。このように構成することで内蓋５の孔又はスリットをすり抜けた髪の毛等のゴミを目皿１１で確実に捕捉し、排水のみを第１の排水口１０を介して排水トラップ１４ａへと導出することができる。
また、目皿１１は必ずしも必要なものではなく、例えば、外蓋４と内蓋５を一体に構成し、内蓋５部分を窪ませて排水孔５ｂが目皿１１を兼ねるよう構成してもよい。
そして、上述のような外蓋４及び内蓋５は、縁部にそれぞれ切り欠き４ａ，切り欠き５ａを備えており、この切り欠き４ａ，切り欠き５ａ部分に指先を引っ掛けて外蓋４や内蓋５を容易に取り外せるよう構成されている。なお、本実施の形態においては、第１の排水口１０に特に髪の毛等のゴミを補足するための目皿を設けていないので、外蓋４の切り欠き４ａはシンク８側に貫通していないことが望ましい。
他方、目皿１１は第２の排水口９ではなく第１の排水口１０に設けてもよい。この場合、外蓋４と内蓋５を一体に構成し、外蓋４にも複数の排水孔５ｂを設けることによれば、シンク８を覆設する蓋の構成部材数を減らせるので経済的である。
【００２５】
さらに、シンク８の底部に設けられる第１の排水口１０には、着脱可能な栓１３を設置することができる。この結果、シンク８内に水／湯を貯留することができ、シンク８を洗面器のように使用することができる。
このため、例えばシンク８内で被介護者や乳幼児が大便等の汚物で汚した衣類やおしめ、シーツ等を下洗いすることができて便利である。また、このシンク８は上述のようなビデとしても用いることができる。さらに、足湯用の湯桶としても用いることができる。
【００２６】
また、図２に示すように、本実施の形態に係る浴室汚物処理設備１ａにおいては、浴槽２の側壁に窪状部が設けられており、この部分には水／湯を供給するための給水設備２２が収容されている。図示するように、給水設備２２に係る、給水口２３は浴槽２の側壁に設けられる窪状部内に埋没され、さらに給水口２３に水／湯を供給する給水管２４は浴槽２の側壁内部に収容されている。このように、浴槽２の側壁に給水設備２２を設けることで、シンク８への水／湯の供給が簡易になるだけでなく、浴槽２に使用者が入浴する際に給水設備２２に触れて怪我をする心配がなく安全である。
なお、給水口２３をシャワーとし、給水管２４の一部を浴槽２の側壁内部から浴室７側に引き出し可能に構成することによれば、たとえば、洗い場３で排便した際にお尻を洗う時などに特に便利である。また、汚れたシンク８を清掃したり、排水トラップ１４ａ内の汚物を押し流すために第１の排水口１０に多量の水／湯を送給する場合にも便利である。
また、図１，３に示すように、特に本実施の形態においては、浴槽２の外壁に対してシンク８の長手方向が略直交するようにシンク８を配置することで、例えば、入浴時にシンク８を便器代わりにして排泄する際に、使用者が浴槽の外壁を手摺として使用できるようにしている。
このように、浴槽２の外壁に対してシンク８の長手方向が略直交するようにシンク８を配置することで、浴室７内に排泄時の転倒防止を目的とする手摺等を別途設置する必要がなく経済的である。また、使用者は浴槽の外壁を把持することで、排泄時の姿勢を安定させることができる。このため、水で濡れて滑りやすい洗い場で、排泄しようと力んだ拍子に使用者が不意に足を滑らせて転倒する心配がない点が特に優れている。
なお、本実施の形態に係る浴室汚物処理設備１ａにおいてシンク８の凹設位置は、図１，３に示すものに限定されるものではなく、使用者のニーズに応じて自由に設定されて良い。たとえば、給水設備２２を設けない場合には、入浴時に使用する給水設備の近傍にシンク８を凹設すればよい。
【００２７】
次に、本実施の形態に係る浴室汚物処理設備１ａの用途別の使用方法について図４乃至図６を参照しながら説明する。
図４〜図６はいずれも本発明の第１の実施の形態に係る浴室汚物処理設備の使用状態を示す断面図である。なお、図１乃至図３に記載されたものと同一部分については同一符号を付し、その構成についての説明は省略する。
【００２８】
まず、本実施の形態に係る浴室汚物処理設備１ａを通常の浴室と同様に使用するためには、先の図２に示される栓１３を取外しておけばよい。
図４に示すように、シンク８には目皿１１と内蓋５を備える外蓋４が覆設されているので洗い場３は段差のない略水平となる。また、このとき、洗い場３にかけ流される水／湯は内蓋５の排水孔５ｂから排水されて目皿１１を通過した後、第１の排水口１０を経て排水トラップ１４ａへと導出される。
【００２９】
また、本実施の形態に係る浴室汚物処理設備１ａのシンク８に水／湯を溜めて使用するには、先の図２に示される外蓋４，内蓋５及び目皿１１を取り外し、第１の排水口１０に栓１３を設置して、最後に給水設備２２又はこれ以外の給水設備からシンク８内へと水／湯を放出すればよい。
図５に示すように、栓１３により第１の排水口１０への水／湯の排出が遮断されてシンク８に水／湯を溜めることができ、汚物で汚れた衣類やおしめ、シーツ等の下洗い等、あるいは、介護や育児以外の目的で例えば足湯用の湯桶として又はビデとして多目的の用途に使用することができる。このため、浴室７の利便性を高めることができる。
【００３０】
そして、本実施の形態に係る浴室汚物処理設備１ａから、例えば、大便等の固形汚物を排水とともに排水管２０に排出するには、先の図２に示される外蓋４，内蓋５，目皿１１及び栓１３を全て取外した後、図６に示すように、まず、汚物２５を水／湯とともに第１の排水口１０から排水トラップ１４ａに排出する。そして、浴槽２の栓１２を取外して浴槽排水管１９内に浴槽２から排水トラップ１４ａへと向かう水流、すなわち、図中の符号Ｄで示す方向への水流を発生させ、この水流の力を利用して排水トラップ１４ａ内の汚物２５を曲管部１６ａへと押し流して排水管２０へと排出するのである。被介護者や乳幼児の固形汚物は、衣服などについたものを下洗いすることで排出されるが、直腸がんや膀胱がんなどによって臓器を患い、腹部に人工的に排泄のための孔を造設された使用者（オストメイト）の場合には、汚れた補装具（パウチ）を定期的に洗浄する必要性もあり、入浴に合わせてシンク８を利用して洗浄することも多い。もちろん、認知症などを患って尿意や便意をコントロールできなくなってしまった場合でも、入浴時に排泄してしまうことも多く、従って、シンク８を使用しながら排泄し、入浴を済ませた後に浴槽２の栓１２を外して浴槽排水管１９内に排水させて、その水流の吐出力で汚物２５を押し流すことができるのは効率的かつ効果的なのである。
また、このように排水トラップ１４ａ内の汚物２５を浴槽２の排水を利用して押し流せるよう構成することで、浴室汚物処理設備１ａの構造を簡素なものにすることができる。また、排水トラップ１４ａに多量の清水を供給するための給水機構を別途設ける必要がないので設置費用やメンテナンスにかかるコストをも低減することができる。
なお、浴槽２に水／湯２１が貯留されていない場合には、汚物２５を押し流すために第１の排水口１０から多量の水／湯を排水トラップ１４ａに流し込めばよい。この場合、浴室汚物処理設備１ａは第２の逆流防止機構を備えているので、排水トラップ１４ａ内の汚物２５や排水が浴槽２へと逆流する心配がないので衛生的である。そのような場合には、給水設備２２を用いて多量の水／湯を第１の排水口１０に供給してもよいし、或いは、シンク８内に水／湯２１を一旦貯留しておき、栓１３を開栓することで排水トラップ１４ａに吐出力を付与した水／湯２１を導入するともできる。
さらに、本実施の形態に係る第１，２の逆流防止機構は、浴室７内に排水トラップ１４ａ内の臭気が上がるのを防止する作用も有するため、浴室７で大便等の汚物を処理した場合でも浴室７の環境を大きく損なう心配がない。
【００３１】
［２］以下に、本発明の第２の実施の形態に係る浴室汚物処理設備を図７乃至図９に基づき説明する。（特に請求項１乃至請求項５に対応）
図７は本発明の第２の実施の形態に係る浴室汚物処理設備において蓋及び栓を取外した状態の平面図であり、図８は図７中の符号Ｂ−Ｂ線断面図である。なお、図８には本実施の形態に係る浴室汚物処理設備の蓋及び栓を取外していない状態の断面図を示した。また、図１乃至図６に記載されたものと同一部分については同一符号を付し、その構成についての説明は省略する。
図７，８に示すように、本発明の第２の実施の形態に係る浴室汚物処理設備１ｂは、上述の第１の実施の形態に係る浴室汚物処理設備１ａとほぼ同じ構造を有するものであるが、排水トラップ１４ｂにおいて、排水トラップ本体１５ｂの曲管部１６ｂがシンク８の底部と一体に構成され、さらにシンク８の底部には曲管部１６ｂに貫通する掃除孔２６が穿設されている点が第１の実施の形態に係る浴室汚物処理設備１ａとは異なる。
なお、シンク８の底部に穿設される掃除孔２６は、シンク８と一体に形成される又は着脱可能にシンク８とは別体に設けられる蓋２７により密閉されている。
このように本実施の形態に係る浴室汚物処理設備１ｂにおいては、シンク８の底部と排水トラップ本体１５ｂの曲管部１６ｂを一体に構成してシンク８の底部に掃除孔２６を設けることで、万一排水トラップ１４ｂが目詰まりした場合に、使用者は自分で掃除孔２６から曲管部１６ｂ内を掃除することができる。
このため、排水トラップ１４ｂが目詰まりした場合でも専門の業者に修理を依頼する必要がなく、浴室汚物処理設備１ｂのメンテナンスに係る費用を削減できて経済的である。
【００３２】
なお、第２の実施の形態に係る浴室汚物処理設備１ｂの用途別の使用方法は第１の実施の形態に係る浴室汚物処理設備１ａと同じであるので詳細な説明は省略する。
そして、第２の実施の形態に係る浴室汚物処理設備１ｂは、曲管部１６ｂの目詰まりを使用者が自分で解消できる点が特に優れている。
図９は、本発明の第２の実施の形態に係る浴室汚物処理設備の使用状態を示す断面図である。
図９に示すように、第２の実施の形態に係る浴室汚物処理設備１ｂはいま、曲管部１６ｂの内部に汚物２５が詰まってしまい目詰まりを起こしている。このような場合、使用者はシンク８の底部に穿設される掃除孔２６の蓋２７を取り外し、ここから例えば図示するような掃除具２９を手２８で挿入して曲管部１６ｂの内部を掃除することができる。
【００３３】
以上、説明したように本発明に係る第１，２の実施の形態に係る浴室汚物処理設備１ａ，１ｂによれば、浴室７内における洗い場３の第１の排水口１０から大便等の固形の汚物２５を処理することができる。しかも、浴槽２から排出される水／湯２１の水流を利用して固形の汚物２５を押し流せるよう構成されているので、浴槽２に残った水／湯２１を有効に活用することができる。さらに浴室汚物処理設備１ａ，１ｂは構造が簡易であるためメンテナンスが容易である。
また、本発明独自のシンク８を備えることで被介護者や乳幼児による汚物２５で汚れた衣類やおしめ、シーツ等の下洗い作業や浴室内での排泄介護、あるいは、オストメイトの方などによる補装具などの洗浄作業が一層軽減されるだけでなく、このシンク８をビデや湯桶としても使用することが可能であり、浴室７の利便性を向上させるものである。
さらに、本発明の第１，２の実施の形態に係る浴室汚物処理設備１ａ，１ｂは、シンク８の開口８ａに目皿１１及び内蓋５を備えた外蓋４を覆設することで一般的な浴室と同じように快適に入浴することができる。このため、被介護者又は乳幼児と健常者が同居する住宅等における浴室の排水設備として最適である。
また、住宅の建設時に、本発明の第１，２の実施の形態に係る浴室汚物処理設備１ａ又は浴室汚物処理設備１ｂを備える浴室７にすることによれば、以後浴室に特別な改造を加えることなく、育児や介護等の様々なライフステージに合わせて快適に浴槽を使用することが可能であり、しかも経済的である。
そして、特に第２の実施の形態に係る浴室汚物処理設備１ｂでは、使用者が自ら排水トラップ１４ｂの目詰まりを解消することができるので、メンテナンスが一層容易である。
【００３４】
［３］最後に、本発明の第３の実施の形態に係る浴室汚物処理設備について説明する。（特に請求項１，請求項２及び請求項５に対応）本実施の形態についての説明は、新たな図を用いることなく、これまでの第１，第２の実施の形態に係る浴室汚物処理設備の説明において用いた図面をそのまま用いる。
本発明の第３の実施の形態に係る浴室汚物処理設備は、図１乃至図９を用いて説明した本発明の第１，第２の実施の形態に係る浴室汚物処理設備１ａ，１ｂにおけるシンク８と、第１の排水口１０及び、排水トラップ１４ａ又は１４ｂを備えて構成される浴室汚物処理設備であり、図２や図８等において示した浴槽２、浴槽排水管１９、舌部３０及び逆止弁３１を備えないシャワー設備のみからなる浴室又はシャワーユニットにおいて固形の大便等の汚物を処理可能にするためのものである。
本実施の形態に係る浴室汚物処理設備は、本発明の第１，２の実施の形態に係る浴室汚物処理設備１ａ，１ｂとは異なり、浴槽２や浴槽排水管１９を備えていないものの、図５に示されるように洗い場３に凹設されるシンク８に水／湯２１を蓄えて、第１の排水口１０から排水トラップ１４ａ又は１４ｂに水／湯２１を流し込むことで、そこにある汚物をより容易に処理することができる。もちろん、手桶（図示せず）や備え付けられているシャワー（図示せず）によって給水することでより確実に処理することが可能である。
もちろん、本発明の第１，第２の実施の形態に係る浴室汚物処理設備１ａ，１ｂの場合と同様に、シンク８の開口８ａに目皿１１や内蓋５を備える外蓋４を備えることが望ましい。
このように、本発明の第３の実施の形態に係る浴室汚物処理設備によれば、浴槽を備えないシャワー設備のみからなる浴室又はシャワーユニットにおいて本発明の第１，第２の実施の形態に係る浴室汚物処理設備１ａ，１ｂと同様に、第１の排水口１０から大便等の固形の汚物を処理できるという効果を有する。
また、本実施の形態に係る浴室汚物処理設備を備える浴槽を備えないシャワー設備のみからなる浴室又はシャワーユニットは設置する際の占有スペースが極めて少なく、特に経済的である。
従って、本実施の形態に係る浴室汚物処理設備を備えることによればシャワー設備のみからなる浴室やシャワーユニットを、介護用設備又は育児用設備としても利用することが可能となり、設備自体の汎用性を高めるという効果を有する。
つまり、肢体不自由な車椅子使用者等が自分に合った楽な姿勢で、たとえば、横臥した状態で、あるいは、障害に応じたシャワーチェアー等の器具を用いて、用便することができ、その後、備え付けのシャワーで体の汚れた箇所や床面の汚れをシャワー設備を用いて洗浄できるという効果を有する。
このように、本実施の形態に係る浴室汚物処理設備は、シンク８及び排水トラップ１４ａ又は排水トラップ１４ｂを備えることで、介護や育児等の特殊な目的にシャワー設備のみからなる浴室又はシャワーユニットを使用可能にする一方で、介護／育児用の設備であるシンク８は、目皿１１や内蓋５を有する外蓋４を覆設することで通常の浴室設備と分離することができる。このため、通常のシャワー設備と比べて全く遜色なく健常者もシャワー設備を使用することができるという効果を有する。
なお、本実施の形態に係る排水トラップに、第１，第２の実施の形態に係る浴室汚物処理設備１ａ，１ｂに設けられるような逆止弁１８ａ，１８ｂを設けてもよい。
本発明の第１，第２の実施の形態に係る逆止弁１８ａ，１８ｂは本来、浴槽２から水／湯２１が送給された場合に第１の排水口１０への排水の逆流を防止するためのものであるが、排水トラップ１４ａ又は１４ｂから臭気が浴室内に上るのを防止するという効果も有する。
このため、本実施の形態に係る浴室汚物処理設備に逆止弁１８ａ，１８ｂを備えることでシャワー設備のみからなる浴室又はシャワーユニットを快適かつ衛生的な環境に保つという効果を有する。
【産業上の利用可能性】
【００３５】
以上説明したように、本発明の請求項１乃至請求項５に記載された発明は、浴室の洗い場に設けられる排水口で大便等の固形の汚物を処理することができ、洗い場の床面にシンクを設けることで多目的の用途に使用できる浴室を提供可能であり、一般家庭を始め、病院や各種施設において利用可能である。
【図面の簡単な説明】
【００３６】
【図１】本発明の第１の実施の形態に係る浴室汚物処理設備の平面図である。
【図２】図１中の符号Ａ−Ａ線断面図である。
【図３】本発明の第１の実施の形態に係る浴室汚物処理設備において蓋と栓を取外した状態の平面図である。
【図４】本発明の第１の実施の形態に係る浴室汚物処理設備の使用状態を示す断面図である。
【図５】本発明の第１の実施の形態に係る浴室汚物処理設備の使用状態を示す断面図である。
【図６】本発明の第１の実施の形態に係る浴室汚物処理設備の使用状態を示す断面図である。
【図７】本発明の第２の実施の形態に係る浴室汚物処理設備において蓋及び栓を取外した状態の平面図である。
【図８】図７中の符号Ｂ−Ｂ線断面図である。
【図９】本発明の第２の実施の形態に係る浴室汚物処理設備の使用状態を示す断面図である。
【符号の説明】
【００３７】
１ａ，１ｂ…浴室汚物処理設備  ２…浴槽  ３…洗い場  ４…外蓋  ４ａ…切り欠き  ４ｂ…凸部  ５…内蓋  ５ａ…切り欠き  ５ｂ…排水孔  ６…浴槽排水口  ７…浴室  ８…シンク  ８ａ…開口  ８ｂ…凹部  ９…第２の排水口  １０…第１の排水口  １１…目皿  １１ａ…排水孔  １２…栓  １３…栓  １４ａ，１４ｂ…排水トラップ  １５ａ，１５ｂ…排水トラップ本体  １６ａ，１６ｂ…曲管部  １７…排水  １８ａ，１８ｂ…逆止弁  １８ａ1，１８ｂ1…枢軸  １９…浴槽排水管  ２０…排水管  ２１…水／湯  ２２…給水設備  ２３…給水口  ２４…給水管  ２５…汚物  ２６…掃除孔  ２７…蓋  ２８…手  ２９…掃除具  ３０…舌部  ３１…逆止弁  ３１ａ…枢軸
【図１】
2007016580.tif 000003
【図２】
2007016580.tif 000004
【図３】
2007016580.tif 000005
【図４】
2007016580.tif 000006
【図５】
2007016580.tif 000007
【図６】
2007016580.tif 000008
【図７】
2007016580.tif 000009
【図８】
2007016580.tif 000010
【図９】
2007016580.tif 000011
【手続補正書】
【提出日】平成18年4月28日(2006.4.28)
【手続補正１】
【補正対象書類名】特許請求の範囲
【補正対象項目名】全文
【補正方法】変更
【補正の内容】
【特許請求の範囲】
【請求項１】
浴室の洗い場に凹設される略矩形状シンクと、前記シンクの底部に設けられる排水口と、前記排水口に連結され排水を貯留可能な曲管部を備えて前記曲管部内の気相を遮断する排水トラップとを有し、
前記シンクの長辺の両側には、平面状の前記洗い場が形成され、前記シンクを便器として使用可能であり、
前記排水トラップは、前記曲管部の上流側に浴槽の排水管が接続され、浴槽内の水／湯を送給して大便を押し流すことができることを特徴とする浴室汚物処理設備。
【請求項２】
前記洗い場の床面と略同一平面を形成して前記シンクを覆うカバーを備え、このカバーはその一部に凹部を備えて前記シンクに排水する第２の排水口を備えることを特徴とする請求項１記載の浴室汚物処理設備。
【請求項３】
前記排水口は、前記浴槽の排水管からの排水の前記シンクへの逆流を防止する逆流防止機構を備えることを特徴とする請求項１又は請求項２記載の浴室汚物処理設備。
【請求項４】
前記シンクはその底面に、前記排水トラップの内部へ貫通して清掃可能とするための掃除孔を備えることを特徴とする請求項１乃至請求項３のいずれか１項に記載の浴室汚物処理設備。
【手続補正２】
【補正対象書類名】明細書
【補正対象項目名】００１０
【補正方法】変更
【補正の内容】
【００１０】
上記目的を達成するため、請求項１記載の発明である浴室汚物処理設備は、浴室の洗い場に凹設される略矩形状シンクと、このシンクの底部に設けられる排水口と、排水口に連結され排水を貯留可能な曲管部を備えて前記曲管部内の気相を遮断する排水トラップとを有し、シンクの長辺の両側には、平面状の洗い場が形成され、シンクを便器として使用可能であり、排水トラップは、前記曲管部の上流側に浴槽の排水管が接続され、浴槽内の水／湯を送給して大便を押し流すことができることを特徴とするものである。
上記構成の浴室汚物処理設備においてシンクは、水／湯を貯留するという作用を有すると同時に、洗い場に凹設することで洗い場とは一線を画し、通常の入浴スペースから介護用のスペースを分離するという作用を有する。またシンクの底部に設けられる排水口は、大便等の汚物や、シンク内の水／湯、洗い場でかけ流された水／湯を排出するという作用を有する。さらに排水トラップは、排水口から排出された汚物や排水を一旦収容し、その後排水管に排出するという作用を有する。また排水トラップの曲管部は、排水を貯留して排水管からの気相を遮断して下流側からの臭気の立ち上りを防止するという作用を有する。
また、上記構成の浴室汚物処理設備において浴槽の排水管は、浴槽から排出される排水を排水トラップに導入するという作用を有する。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
さらに、請求項３に記載の発明である浴室汚物処理設備は、請求項１又は請求項２に記載の浴室汚物処理設備において、排水口は、浴槽の排水管からの排水のシンクへの逆流を防止する逆流防止機構を備えるものである。
上記構成の浴室汚物処理設備において逆流防止機構は、浴槽から排出される排水が排水トラップからシンクへと逆流することを防止するという作用を有する。
【手続補正５】
【補正対象書類名】明細書
【補正対象項目名】００１４
【補正方法】変更
【補正の内容】
【００１４】
請求項４に記載の発明である浴室汚物処理設備は、請求項１乃至請求項３のいずれか１項に記載の浴室汚物処理設備であって、シンクはその底面に、排水トラップの内部へ貫通して清掃可能とするための掃除孔を備えるものである。
上記構成の浴室汚物処理設備においてシンクの底面に設けられる掃除孔は、排水トラップ内部に掃除具の挿入を可能にするという作用を有する。
【手続補正６】
【補正対象書類名】明細書
【補正対象項目名】００１５
【補正方法】変更
【補正の内容】
【００１５】
本発明の請求項１記載の浴室汚物処理設備では、シンクに湯又は水を貯留することができるので、シンク内で被介護者や乳幼児が大便等の汚物で汚した衣類やおしめ、シーツ等を下洗いすることができる。また、このシンクは、主として西洋のトイレに併設される給水設備と排水口を備える水鉢（以下、この水鉢ビデと呼ぶ。）のような、例えば、女性が生理中等に局部を清潔に保つための洗浄器として、あるいは、足湯用の湯桶としても用いることができる。また、排水口は洗い場にかけ流され水／湯を排出できるだけでなく、大便等の汚物も排水とともに処理することができる。
さらに、排水トラップを備えることで、排水管内の臭気や害虫が浴室に上がってくるのを防止できる。
通常の入浴スペースと介護等のスペースを分離することができるため、より衛生的に浴室を利用でき、健常者と被介護者の双方の精神的な負担を軽減することで同居をより快適にすることができる。
また、本発明の請求項１記載の浴室汚物処理設備では、排水トラップ内に排出された大便等の汚物を浴槽からの排水の吐出力を利用してより確実に押し流すことができる。このため、排水トラップに汚物を押し流すための水流を発生させる給水設備を別に設ける必要がなく本発明に係る汚物処理設備の構造を簡易なものにすることができ、メンテナンスも容易であり、コストも低減できる。また、浴槽の排水を有効利用することができる。
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】変更
【補正の内容】
【００１８】
本発明の請求項３記載の浴室汚物処理設備では、請求項１又は請求項２に記載の発明の効果に加え、逆流防止機構を備えることで浴槽からの排水の吐出力が大きくとも、排水がシンク側に逆流するのを防止することができる。このため浴室の洗い場や、洗い場に凹設されるシンクが逆流した汚物や排水で汚れる心配がなく衛生的である。
【手続補正９】
【補正対象書類名】明細書
【補正対象項目名】００１９
【補正方法】変更
【補正の内容】
【００１９】
本発明の請求項４記載の浴室汚物処理設備では、請求項１乃至請求項３に記載の発明の効果に加え、万一、排水トラップが目詰まりを起こした場合に、使用者はシンクの底面に設けられる掃除孔から掃除具を挿入して排水トラップ内を掃除することができる。
このため、常時衛生的な状態を維持でき、排水トラップに目詰まりが生じる度に専門の業者に修理を委託する必要がなく、本発明に係る浴室汚物処理設備のメンテナンスにかかるコストを低減できるので経済的である。
【手続補正１０】
【補正対象書類名】明細書
【補正対象項目名】００３１
【補正方法】変更
【補正の内容】
【００３１】
［２］以下に、本発明の第２の実施の形態に係る浴室汚物処理設備を図７乃至図９に基づき説明する。（特に請求項１乃至請求項４に対応）
図７は本発明の第２の実施の形態に係る浴室汚物処理設備において蓋及び栓を取外した状態の平面図であり、図８は図７中の符号Ｂ−Ｂ線断面図である。なお、図８には本実施の形態に係る浴室汚物処理設備の蓋及び栓を取外していない状態の断面図を示した。また、図１乃至図６に記載されたものと同一部分については同一符号を付し、その構成についての説明は省略する。
図７，８に示すように、本発明の第２の実施の形態に係る浴室汚物処理設備１ｂは、上述の第１の実施の形態に係る浴室汚物処理設備１ａとほぼ同じ構造を有するものであるが、排水トラップ１４ｂにおいて、排水トラップ本体１５ｂの曲管部１６ｂがシンク８の底部と一体に構成され、さらにシンク８の底部には曲管部１６ｂに貫通する掃除孔２６が穿設されている点が第１の実施の形態に係る浴室汚物処理設備１ａとは異なる。
なお、シンク８の底部に穿設される掃除孔２６は、シンク８と一体に形成される又は着脱可能にシンク８とは別体に設けられる蓋２７により密閉されている。
このように本実施の形態に係る浴室汚物処理設備１ｂにおいては、シンク８の底部と排水トラップ本体１５ｂの曲管部１６ｂを一体に構成してシンク８の底部に掃除孔２６を設けることで、万一排水トラップ１４ｂが目詰まりした場合に、使用者は自分で掃除孔２６から曲管部１６ｂ内を掃除することができる。
このため、排水トラップ１４ｂが目詰まりした場合でも専門の業者に修理を依頼する必要がなく、浴室汚物処理設備１ｂのメンテナンスに係る費用を削減できて経済的である。
【手続補正１１】
【補正対象書類名】明細書
【補正対象項目名】００３４
【補正方法】変更
【補正の内容】
【００３４】
［３］最後に、本発明の第３の実施の形態に係る浴室汚物処理設備について説明する。本実施の形態についての説明は、新たな図を用いることなく、これまでの第１，第２の実施の形態に係る浴室汚物処理設備の説明において用いた図面をそのまま用いる。
本発明の第３の実施の形態に係る浴室汚物処理設備は、図１乃至図９を用いて説明した本発明の第１，第２の実施の形態に係る浴室汚物処理設備１ａ，１ｂにおけるシンク８と、第１の排水口１０及び、排水トラップ１４ａ又は１４ｂを備えて構成される浴室汚物処理設備であり、図２や図８等において示した浴槽２、浴槽排水管１９、舌部３０及び逆止弁３１を備えないシャワー設備のみからなる浴室又はシャワーユニットにおいて固形の大便等の汚物を処理可能にするためのものである。
本実施の形態に係る浴室汚物処理設備は、本発明の第１，２の実施の形態に係る浴室汚物処理設備１ａ，１ｂとは異なり、浴槽２や浴槽排水管１９を備えていないものの、図５に示されるように洗い場３に凹設されるシンク８に水／湯２１を蓄えて、第１の排水口１０から排水トラップ１４ａ又は１４ｂに水／湯２１を流し込むことで、そこにある汚物をより容易に処理することができる。もちろん、手桶（図示せず）や備え付けられているシャワー（図示せず）によって給水することでより確実に処理することが可能である。
もちろん、本発明の第１，第２の実施の形態に係る浴室汚物処理設備１ａ，１ｂの場合と同様に、シンク８の開口８ａに目皿１１や内蓋５を備える外蓋４を備えることが望ましい。
このように、本発明の第３の実施の形態に係る浴室汚物処理設備によれば、浴槽を備えないシャワー設備のみからなる浴室又はシャワーユニットにおいて本発明の第１，第２の実施の形態に係る浴室汚物処理設備１ａ，１ｂと同様に、第１の排水口１０から大便等の固形の汚物を処理できるという効果を有する。
また、本実施の形態に係る浴室汚物処理設備を備える浴槽を備えないシャワー設備のみからなる浴室又はシャワーユニットは設置する際の占有スペースが極めて少なく、特に経済的である。
従って、本実施の形態に係る浴室汚物処理設備を備えることによればシャワー設備のみからなる浴室やシャワーユニットを、介護用設備又は育児用設備としても利用することが可能となり、設備自体の汎用性を高めるという効果を有する。
つまり、肢体不自由な車椅子使用者等が自分に合った楽な姿勢で、たとえば、横臥した状態で、あるいは、障害に応じたシャワーチェアー等の器具を用いて、用便することができ、その後、備え付けのシャワーで体の汚れた箇所や床面の汚れをシャワー設備を用いて洗浄できるという効果を有する。
このように、本実施の形態に係る浴室汚物処理設備は、シンク８及び排水トラップ１４ａ又は排水トラップ１４ｂを備えることで、介護や育児等の特殊な目的にシャワー設備のみからなる浴室又はシャワーユニットを使用可能にする一方で、介護／育児用の設備であるシンク８は、目皿１１や内蓋５を有する外蓋４を覆設することで通常の浴室設備と分離することができる。このため、通常のシャワー設備と比べて全く遜色なく健常者もシャワー設備を使用することができるという効果を有する。
なお、本実施の形態に係る排水トラップに、第１，第２の実施の形態に係る浴室汚物処理設備１ａ，１ｂに設けられるような逆止弁１８ａ，１８ｂを設けてもよい。
本発明の第１，第２の実施の形態に係る逆止弁１８ａ，１８ｂは本来、浴槽２から水／湯２１が送給された場合に第１の排水口１０への排水の逆流を防止するためのものであるが、排水トラップ１４ａ又は１４ｂから臭気が浴室内に上るのを防止するという効果も有する。
このため、本実施の形態に係る浴室汚物処理設備に逆止弁１８ａ，１８ｂを備えることでシャワー設備のみからなる浴室又はシャワーユニットを快適かつ衛生的な環境に保つという効果を有する。
【手続補正１２】
【補正対象書類名】明細書
【補正対象項目名】００３５
【補正方法】変更
【補正の内容】
【００３５】
以上説明したように、本発明の請求項１乃至請求項４に記載された発明は、浴室の洗い場に設けられる排水口で大便等の固形の汚物を処理することができ、洗い場の床面にシンクを設けることで多目的の用途に使用できる浴室を提供可能であり、一般家庭を始め、病院や各種施設において利用可能である。
【手続補正書】
【提出日】平成18年11月17日(2006.11.17)
【手続補正１】
【補正対象書類名】特許請求の範囲
【補正対象項目名】全文
【補正方法】変更
【補正の内容】
【特許請求の範囲】
【請求項１】
浴室の洗い場に凹設される略矩形状シンクと、前記シンクの底部に設けられる排水口と、前記排水口に連結され排水を貯留可能な曲管部を備えて前記曲管部内の気相を遮断する排水トラップとを有し、
前記シンクの長辺の両側には、平面状の前記洗い場が形成され、前記シンクを便器として使用可能であり、
前記排水トラップは、前記曲管部の上流側に浴槽の排水管が接続され、浴槽内に貯留した水／湯を送給して大便を押し流すことができ、
前記排水口は、前記浴槽の排水管からの排水及び前記大便の前記シンクへの逆流を防止する逆流防止機構を備えることを特徴とする浴室汚物処理設備。
【請求項２】
前記洗い場の床面と略同一平面を形成して前記シンクを覆うカバーを備え、このカバーはその一部に凹部を備えて前記シンクに排水する第２の排水口を備えることを特徴とする請求項１記載の浴室汚物処理設備。
【請求項３】
前記排水トラップは、前記浴槽の排水管との接続部分に、前記浴槽から送給される排水の流れを調整するための舌部を備えることを特徴とする請求項１又は請求項２記載の浴室汚物処理設備。
【請求項４】
前記シンクはその底面に、前記排水トラップの内部へ貫通して清掃可能とするための掃除孔を備えることを特徴とする請求項１乃至請求項３のいずれか１項に記載の浴室汚物処理設備。
【手続補正２】
【補正対象書類名】明細書
【補正対象項目名】００１０
【補正方法】変更
【補正の内容】
【００１０】
上記目的を達成するため、請求項１記載の発明である浴室汚物処理設備は、浴室の洗い場に凹設される略矩形状シンクと、前記シンクの底部に設けられる排水口と、排水口に連結され排水を貯留可能な曲管部を備えて曲管部内の気相を遮断する排水トラップとを有し、シンクの長辺の両側には、平面状の洗い場が形成され、シンクを便器として使用可能であり、排水トラップは、曲管部の上流側に浴槽の排水管が接続され、浴槽内に貯留した水／湯を送給して大便を押し流すことができ、排水口は、浴槽の排水管からの排水及び大便のシンクへの逆流を防止する逆流防止機構を備えることを特徴とするものである。
上記構成の浴室汚物処理設備においてシンクは、水／湯を貯留するという作用を有すると同時に、洗い場に凹設することで洗い場とは一線を画し、通常の入浴スペースから介護用のスペースを分離するという作用を有する。またシンクの底部に設けられる排水口は、大便等の汚物や、シンク内の水／湯、洗い場でかけ流された水／湯を排出するという作用を有する。さらに排水トラップは、排水口から排出された汚物や排水を一旦収容し、その後排水管に排出するという作用を有する。また排水トラップの曲管部は、排水を貯留して排水管からの気相を遮断して下流側からの臭気の立ち上りを防止するという作用を有する。
また、上記構成の浴室汚物処理設備において浴槽の排水管は、浴槽から排出される排水を排水トラップに導入するという作用を有する。
上記構成の浴室汚物処理設備において逆流防止機構は、浴槽から排出される排水が排水トラップからシンクへと逆流することを防止するという作用を有する。
【手続補正３】
【補正対象書類名】明細書
【補正対象項目名】００１３
【補正方法】変更
【補正の内容】
【００１３】
さらに、請求項３に記載の発明である浴室汚物処理設備は、請求項１又は請求項２に記載の浴室汚物処理設備において、排水トラップは、浴槽の排水管の接続部分に、浴槽から送給される排水の流れを調整するための舌部を備えることを特徴とするものである。
【手続補正４】
【補正対象書類名】明細書
【補正対象項目名】００１５
【補正方法】変更
【補正の内容】
【００１５】
本発明の請求項１記載の浴室汚物処理設備では、シンクに湯又は水を貯留することができるので、シンク内で被介護者や乳幼児が大便等の汚物で汚した衣類やおしめ、シーツ等を下洗いすることができる。また、このシンクは、主として西洋のトイレに併設される給水設備と排水口を備える水鉢（以下、この水鉢ビデと呼ぶ。）のような、例えば、女性が生理中等に局部を清潔に保つための洗浄器として、あるいは、足湯用の湯桶としても用いることができる。また、排水口は洗い場にかけ流され水／湯を排出できるだけでなく、大便等の汚物も排水とともに処理することができる。
さらに、排水トラップを備えることで、排水管内の臭気や害虫が浴室に上がってくるのを防止できる。
通常の入浴スペースと介護等のスペースを分離することができるため、より衛生的に浴室を利用でき、健常者と被介護者の双方の精神的な負担を軽減することで同居をより快適にすることができる。
また、本発明の請求項１記載の浴室汚物処理設備では、排水トラップ内に排出された大便等の汚物を浴槽からの排水の吐出力を利用してより確実に押し流すことができる。このため、排水トラップに汚物を押し流すための水流を発生させる給水設備を別に設ける必要がなく本発明に係る汚物処理設備の構造を簡易なものにすることができ、メンテナンスも容易であり、コストも低減できる。また、浴槽の排水を有効利用することができる。
さらに、逆流防止機構を備えることで浴槽からの排水の吐出力が大きくとも、排水がシンク側に逆流するのを防止することができる。このため浴室の洗い場や、洗い場に凹設されるシンクが逆流した汚物や排水で汚れる心配がなく衛生的である。
【手続補正５】
【補正対象書類名】明細書
【補正対象項目名】００１８
【補正方法】変更
【補正の内容】
【００１８】
本発明の請求項３記載の浴室汚物処理設備では、請求項１又は請求項２に記載の発明の効果に加え、浴槽から送給される水／湯が曲管部にスムースに流れ込むように水／湯の流れを調整する。
【手続補正６】
【補正対象書類名】明細書
【補正対象項目名】００２０
【補正方法】変更
【補正の内容】
【００２０】
［１］以下に、本発明の第１の実施の形態に係る浴室汚物処理設備を図１乃至図６に基づき説明する。（特に請求項１乃至請求項３に対応）
図１は、本発明の第１の実施の形態に係る浴室汚物処理設備の平面図であり、図２は図１中の符号Ａ−Ａ線断面図である。また、図３は本発明の第１の実施の形態に係る浴室汚物処理設備において蓋と栓を取外した状態の平面図である。
本発明の第１の実施の形態に係る浴室汚物処理設備１ａは、浴室７内における洗い場３に設けられる排水設備において、大便等の固形の汚物も排水とともに流すことができるよう構成された浴室汚物処理設備１ａである。
図１〜３に示すように、本実施の形態に係る浴室汚物処理設備１ａは主に、底部に第１の排水口１０を備えて浴室７の洗い場３に凹設されるシンク８と、この第１の排水口１０に連設される排水トラップ１４ａからなり、この排水トラップ１４ａの上流部に浴槽排水管１９が接続されるものである。
また、第１の排水口１０の下端には、排水の逆流防止機構として、例えば、逆止弁１８ａ，１８ｂが設けられており、浴槽排水管１９からの排水が第１の排水口１０を通じてシンク８へと流れ込むのを防止している。
この逆止弁１８ａ，１８ｂは、例えば、枢軸１８ａ1，１８ｂ1を基軸に一定の荷重がかかると下方に回動し、その後荷重から開放されると、もとに位置に復元するよう構成されるものである。また、浴槽排水管１９から送給される排水により排水トラップ１４ａ内の水位が上昇するとその水圧で逆止弁１８ａ，１８ｂが下方から押圧されて第１の排水口１０を塞いで排水が第１の排水口１０に流入するのを妨げる仕組みになっている。
なお、逆止弁１８ａ，１８ｂの取付け方法は必ずしも枢軸１８ａ1，１８ｂ1による必要はなく、反発性を有する弾性素材を介して第１の排水口１０の下端又は排水トラップ１４ａの内壁又は排水トラップ１４ａの上端部に取り付けられてよい。いずれの場合においても、第１の排水口１０内に一定量の排水が貯まるとその荷重で逆止弁１８ａ，１８ｂが枢軸１８ａ1，１８ｂ1を基軸に下方に回動して第１の排水口１０内の排水を排水トラップ１４ａ内に排出し、その後は速やかに元の位置に復元するよう構成されることが望ましい。
また、本実施の形態においては排水の逆流防止機構として、逆止弁１８ａ，１８ｂを採用した場合を例に挙げて説明しているが、この逆止弁は図２に示すような逆止弁１８ａ，１８ｂが一体に構成され、枢軸１８ａ1，１８ｂ1のいずれか一方を基軸に回動するよう構成されるものでもよい。また、これ以外にも第１の排水口１０からの排水をスムースに排水トラップ１４ａに導く一方で、排水トラップ１４ａから第１の排水口１０に排水が逆流するのを妨げるよう構成される逆流防止機構であればその構造は問題としない。なお、本願明細書中に記載される他の逆流防止機構においても同様である。
本実施の形態に係る浴室汚物処理設備１ａは、上述のような排水の逆流防止機構を備えているので、図示しない固形の汚物を排水トラップ１４ａへと導出した後に、浴槽排水口６を閉止する栓１２を開放し、浴槽２内の水／湯２１を排水トラップ１４ａに送給することで排水トラップ１４ａ内の汚物を確実に排水管２０へと押し流すことができ、しかも第１の排水口１０に汚物と排水が逆流する恐れがないのである。
なお、本実施の形態に係るシンク８形状は、たとえば、略方形に構成した場合を例に挙げて図示しているが、必ずしもこの形状である必要はなく、これ以外にも、たとえば、略台形であったり、略楕円形や略円形であってもよい、あるいは、たとえばひょうたん形のような任意の曲線により構成される形状でもよく、洗い場３のインテリアや使用者の利便性を考慮して自由に変形されて良い。また、いずれの場合でも第１の排水口１０に向うにつれシンク８の水平断面における面積が縮小するよう構成することで、第１の排水口１０からの排水を良好にすることができる。